(57)【要約】【課題】  軽量球体埋込みコンクリートスラブの施工において軽量球体の浮遊を確実に防止し、適切な位置への埋込みを容易に行う浮遊防止具を提供する。【解決手段】  軽量球体埋込みコンクリートスラブにおける軽量球体の浮遊を防止するための浮遊防止具(10)が、上端筋(31a、31b)の格子状配筋方向の一方向と平行に該上端筋の上に載置される一対の支持筋(11a、11b)と、支持筋の各々から小空間内にそれぞれ懸下し軽量球体を両側から把持する一対の把持筋(12、13)都を有し、それらの下端同士が蝶番部(12a、13a)により連結されて支持筋の各々が回動可能であり、開いた状態にて軽量球体を挿入し、閉じることにより軽量球体が固定される。【選択図】  図１
0003111154.tif 000002
【実用新案登録請求の範囲】
【請求項１】
スラブ内にて各々格子状に配筋された上端筋(31a、31b)と下端筋(32a、32b)とを上下方向に離間設置して形成した各小空間(35)内に軽量球体(20)を配置した後にコンクリートを打設する軽量球体埋込みコンクリートスラブにおける、該軽量球体の浮遊を防止するための浮遊防止具(10)において、
前記上端筋の格子状配筋方向の一方向と平行に該上端筋の上に載置される一対の支持筋(11a、11b)と、
前記一対の支持筋の各々から前記小空間内にそれぞれ懸下し前記軽量球体を両側から把持可能な一対の把持筋(12、13)とを有し、
前記一対の把持筋の下端同士が蝶番部(12a、13a)により連結されることにより前記一対の支持筋の各々が該蝶番部を軸として回動可能であり、
前記一対の支持筋が回動し上方に開いた状態にて前記軽量球体を前記一対の把持筋の間に挿入可能であり、かつ、該軽量球体を該一対の把持筋の間に挿入し該一対の支持筋を閉じた状態にて該軽量球体が該一対の支持筋及び該把持筋により固定されることを特徴とする
軽量球体の浮遊防止具。
【請求項２】
前記一対の把持筋の各々が、前記軽量球体を両側から把持するべく互いに逆向きの「く」の字状の屈曲部を具備することを特徴とする請求項１に記載の軽量球体の浮遊防止具。
【考案の詳細な説明】
【技術分野】
【０００１】
本考案は、軽量球体を埋め込んだ鉄筋コンクリートスラブを施工する際に、当該軽量球体の浮遊を防止し、適切な位置に固定するための器具に関する。
【背景技術】
【０００２】
従来、鉄筋コンクリートスラブの軽量化や遮音性向上のためにスラブ内部にコンクリート以外の埋設物を埋め込んで中空化する工法が実用化されている。図５（Ａ）は、例えば、特許文献１に記載された当該工法の従来例を示す概要構成図である。当該工法では、格子状に配筋された上端筋３１ａ、３１ｂと下端筋３２ａ、３２ｂをアンカー３３によりスラブ下型枠４０に固定し、上下に離間した上端筋３１ａ、３１ｂと下端筋３２ａ、３２ｂによって略立方形状に仕切られた各小空間に軽量球体２０をそれぞれ挿入配置した後、コンクリートを打設する。軽量球体２０は、例えば、中空又は中実のプラスチック発泡成型品である。
【０００３】
コンクリート打設の際には、各小空間に装填した軽量球体２０が浮き上がってきたり、小空間を逸脱してスラブ表面に集まったり、所定位置からずれたりするおそれがある。これを防止するために、特許文献１では、上端筋３１ａ、３１ｂの上に載置して各軽量球体の浮き上がりを押さえる押さえ金物１１０を開示している。押さえ金物１１０は、上端筋３１ａ、３１ｂの格子状配筋方向の一方向と平行に該上端筋の上に載置される一対の支持筋１１１ａ、１１１ｂと、これらの支持筋から下方に各小空間内に懸下して軽量球体を挟持する挟持筋１１２とを具備する。
【特許文献１】特開２００３−３２１８９４号公報
【考案の開示】
【考案が解決しようとする課題】
【０００４】
しかしながら、特許文献１の押さえ金物１１０には幾つかの問題点がある。
押さえ金物１１０は、一列に並んだ複数の軽量球体２０を一度に押さえ込むように載置される。ところが、各小空間の幅は軽量球体２０の径に比べて余裕があるため、装填直後の軽量球体２０は、必ずしも各小空間の中央に位置しておらず端に片寄っていることもある。片寄っている軽量球体２０の多くは、押さえ金物１１０を上から載置したときに、押さえ金物１１０により自動的に中央の正しい位置へと移動させられるが、中には、押さえ金物１１０に引っ掛かってしまい、手でその位置を修正してやらなければならないものもある。
【０００５】
また、別の問題点として、特許文献１の押さえ金物１１０は、上方及び左右から軽量球体２０を押さえる機能はあるが、下方から支持する機能はない。軽量球体２０は、コンクリート打設前には落ち込んでおり、コンクリート打設により浮き上がって適切な位置（水平及び垂直の両方向において小空間の中央）に移動する。ところが、中には、何らかの理由で引っ掛かり浮き上がらずに落ち込んだまま固定されてしまうものがある。
【０００６】
以上の問題点に鑑み、本考案は、軽量球体埋込みコンクリートスラブの施工において軽量球体の浮遊（浮き上がり、落ち込み及び片寄り）を確実に防止し、適切な位置への埋込みを実現するための浮遊防止具を提供することを目的とする。加えて、簡易な構造であり、取扱いが容易な浮遊防止具を提供することを目的とする。
【課題を解決するための手段】
【０００７】
上記の目的を達成するべく本考案は、次の構成を有する。
（１）請求項１に係る考案は、スラブ内にて各々格子状に配筋された上端筋(31a、31b)と下端筋(32a、32b)とを上下方向に離間設置して形成した各小空間(35)内に軽量球体(20)を配置した後にコンクリートを打設する軽量球体埋込みコンクリートスラブにおける、該軽量球体の浮遊を防止するための浮遊防止具(10)において、
前記上端筋の格子状配筋方向の一方向と平行に該上端筋の上に載置される一対の支持筋(11a、11b)と、
前記一対の支持筋の各々から前記小空間内にそれぞれ懸下し前記軽量球体を両側から把持可能な一対の把持筋(12、13)とを有し、
前記一対の把持筋の下端同士が蝶番部(12a、13a)により連結されることにより前記一対の支持筋の各々が該蝶番部を軸として回動可能であり、
前記一対の支持筋が回動し上方に開いた状態にて前記軽量球体を前記一対の把持筋の間に挿入可能であり、かつ、該軽量球体を該一対の把持筋の間に挿入し該一対の支持筋を閉じた状態にて該軽量球体が該一対の支持筋及び該把持筋により固定されることを特徴とする。
【０００８】
（２）請求項２に係る考案は、請求項１の軽量球体の浮遊防止具において、前記一対の把持筋の各々が、前記軽量球体を両側から把持するべく互いに逆向きの「」く」の字状の屈曲部を具備することを特徴とする。
【考案の効果】
【０００９】
請求項１に記載の軽量球体埋込コンクリートスラブの施工に用いる軽量球体の浮遊防止具が、上端筋の上に載置される一対の支持筋と、各支持筋から下方にそれぞれ懸下する一対の把持筋とを有し、一対の把持筋の下端同士が蝶番部により連結されているため、一対の支持筋とそれに繋がる把持筋は、蝶番部を軸として回動することができる。これにより、一対の支持筋とそれに繋がる把持筋を回動して開いた状態とすると、その間に軽量球体を挿入できる。そしれ、軽量球体を挿入した後、一対の支持筋を元の方向に回動して閉じた状態とすると、一対の把持筋の間に軽量球体を籠のように包み込み、把持することができる。こうして、軽量球体を上下、左右の方向から固定することができる。
【００１０】
特許文献１に開示した従来技術は、先ず、軽量球体を各小空間に装填し、その後に押さえ金物を載置していたため、必ずしも全ての軽量球体が、押さえ金物の載置と同時に適切な位置に設置されるとは限らなかった。しかしながら、本考案の浮遊防止具は、軽量球体を装填するに先立って上端筋の上に載置され、そして浮遊防止具を開いた状態にして把持筋の間に軽量球体を挿入し、その後に浮遊防止具を閉じた状態とする。従って、全ての軽量球体を同時に適切な位置に固定することができる。
【００１１】
請求項２では、請求項１における浮遊防止具の一対の把持筋の各々が、軽量球体を両側から把持するべく互いに逆向きの「く」の字状の屈曲部を具備する形状であり、線状部材から簡単に作製できるので低コストに実施できる。
【考案を実施するための最良の形態】
【００１２】
以下、図面を参照しつつ本考案の実施の形態を説明する。
図１は、本考案による軽量球体埋込コンクリートスラブの施工に用いる軽量球体の浮遊防止具の使用状態を示す、スラブの部分構成図である。図示の状態はコンクリート打設前の状態である。図２は、図１のＡ−Ａ断面図である。
【００１３】
図１に示すように、スラブ骨格は、スラブ下型枠４０の上方に配設された上端筋３１ａ、３１ｂと下端筋３２ａ、３２ｂを有する。上端筋３１ａ、３１ｂは、互いに平行に並設された２組の鉄筋が直交する平面格子を構成している。下端筋３２ａ、３２ｂも同様である。上端筋と下端筋は、上下方向に適宜の距離だけ離間して設置される。上端筋３１ａ、３１ｂと下端筋３２ａ、３２ｂの間隔は、スラブ厚さ（例えば、２５０mm）とコンクリートのかぶり厚さから適宜設定される。
【００１４】
また、互いに平行な隣り合う上端筋３１ａ同士又は３１ｂ同士の間隔、及び下端筋３２ａ同士又は３２ｂ同士の間隔すなわち格子間隔は、コンクリートスラブの設計厚さによって適宜選択される。スラブ厚さによって、適宜格子間隔を変更し、また、軽量球体２０の大きさを変更することにより、スラブ剛性を維持しつつ軽量化と遮音性を最適化できるためである。
【００１５】
さらに、コンクリート打設時に、軽量球体の浮力によりスラブ骨格全体が浮き上がることを防止するためにアンカー３３が設けられる。アンカー３３は、その一端がスラブ骨格（例えば、上端筋）に連結され、他端がスラブ下型枠４０に固定される。
【００１６】
このように格子状に各々配筋された上端筋３１ａ、３１ｂと下端筋３２ａ、３２ｂとをスラブ内にて上下方向に離間して配置することにより各格子辺に囲まれた立方形状ないしは直方形状の小空間３５が形成される。この形成された各小空間３５に軽量球体２０を１個ずつ設置し、コンクリートを打設することにより軽量球体埋込みコンクリートスラブが完成する。各軽量球体２０の適切な位置は、各小空間３５内の水平方向及び垂直方向における中央である。
【００１７】
浮遊防止具１０は、各軽量球体２０を適切な位置に配置固定する役割を果たしている。浮遊防止具１０は、スラブ強度には影響せず、単に施工時の軽量球体２０の浮き上がりや落ち込み等を防止するためのものであるので、耐久性や強度は必要ない。加工しやすい材料であればいずれも利用できる。例えば、直径３〜６mm程度の金属線である。
【００１８】
浮遊防止具１０は、上端筋３１ａ、３１ｂの格子状配筋方向の一方向と平行に、上端筋の上に載置される一対の支持筋１１ａ、１１ｂを有する。そして、一対の支持筋１１ａ、１１ｂの各々から把持筋１２、１３が小空間３５内へ懸下している。これら一対の把持筋１２、１３は、それぞれが２本の互いに平行な線状部材を具備する。把持筋１２を構成する２本の線状部材は、「く」の字状の屈曲部を具備して軽量球体２０を左側から把持し、一方、把持筋１３を構成する２本の線状部材もまた、逆向きの「く」の字状の屈曲部を具備して軽量球体２０を右側から把持している。図２に示すように、把持筋１２、１３の下端同士は、蝶番部１２ａ，１３ａにより連結されている。従って、一対の把持筋１２、１３は、あたかも籠のように軽量球体２０を包み込むことになる。また、一対の支持筋１１ａ、１１ｂは、軽量球体２０を上から押さえている。このようにして、浮遊防止具１０は、軽量球体２０を上下及び左右の方向から固定する。
【００１９】
図３は、浮遊防止具１０の一実施例を示す図であり、図３（Ａ）は前面図、図３（Ｂ）は側面図、図３（Ｃ）は、上面図である。支持筋１１ａ、１１ｂと把持筋１２、１３とは、溶接等により固着される。図示の例では、把持筋１２は、支持筋１１ａから下方へ懸下された２本の互いに平行な線状部材とその下端を連結する１本の水平線状部材１２ａから構成されるコ字状部材である。一方、把持筋１３は、支持筋１１ｂから下方へ懸下された２本の互いに平行な線状部材から構成される。そして、把持筋１３を構成する２本の線状部材の下端１３ａは、把持筋１２の下端の水平線状部材１２ａに巻き付けられている。これにより、把持筋１２と１３の下端同士が蝶番部１２ａ、１３ａを形成する。尚、把持部１２、１３の形状及びこれらの下端同士の蝶番部１２ａ、１３ａの構造は、図示の例に限定されない。
【００２０】
浮遊防止具１０の各部の寸法は、軽量球体２０を把持した状態で軽量球体２０が適切な位置となるように設定する。支持筋１１ａ、１１ｂの長さ等は、スラブ寸法並びに上端筋及び下端筋の格子間隔により適宜設定する。図３（Ｃ）に示すように、例えば、支持筋１１ａ、１１ｂの長さＬ０を１６７０mmとし、８組の把持筋１２、１３を等間隔で取り付ける。例えば、軽量球体の直径Ｄが１６０mmのとき、把持筋１２、１３の各々を構成する２本の線状部材の間隔Ｌ１を１１０mmとし、隣り合う把持筋との間隔Ｌ２を９０mmとする。
【００２１】
図４は、本考案の軽量球体の浮遊防止具１０の取扱い方法を示す、図２に対応する位置における断面図である。図４（Ａ）は、上端筋３１ｂの上に浮遊防止具１０を載置し、蝶番部１２ａ、１３ａを軸として一対の支持筋１１ａ、１１ｂを外側（矢印の方向）へ回動させて開いた状態である。これにより、支持筋１１ａと１１ｂの間の水平方向の間隔が拡がる。尚、支持筋１１ａ、１１ｂは、開いた状態でも上端筋３１ｂの上に安定に載っている。また、支持筋１１ａ、１１ｂの回動に伴って把持筋１２と１３の間の空間も拡がる。
【００２２】
図４（Ｂ）は、把持筋１２と１３の間の拡がった空間に軽量球体２０を挿入した状態である。こうして、一対の支持筋１１ａ、１１ｂから懸下する全ての把持筋１２、１３の間に軽量球体２０を装填する。全ての軽量球体２０の装填が完了したならば、図４（Ｃ）に示すように、蝶番部１２ａ、１３ａを軸として支持筋１１ａ、１１ｂを内側（矢印の方向）へ回動させて閉じる。これにより、支持筋１１ａと１１ｂの間の水平方向の間隔が狭まると共に、支持筋１１ａと１１ｂは軽量球体２０の上に位置するようになる。尚、支持筋１１ａ、１１ｂは、閉じた状態でも上端筋３１ｂの上に安定に載っている。また、支持筋１１ａ、１１ｂの回動に伴って把持筋１２と１３の間の空間も狭まり、軽量球体２０を両側から把持する。こうして、浮遊防止具１０により軽量球体２０が固定される。
【図面の簡単な説明】
【００２３】
【図１】本考案による軽量球体埋込コンクリートスラブの施工に用いる軽量球体の浮遊防止具の使用状態を示す、スラブの部分構成図である。
【図２】図１のＡ−Ａ断面図である。
【図３】浮遊防止具１０の一実施例を示す図であり、図３（Ａ）は前面図、図３（Ｂ）は側面図、図３（Ｃ）は、上面図である。
【図４】本考案の軽量球体の浮遊防止具１０の使用方法を示す、図２に対応する位置における断面図である。（Ａ）は、一対の支持筋１１ａ、１１ｂを外側（矢印の方向）へ回動させて開いた状態である。（Ｂ）は、把持筋１２と１３の間の拡がった空間に軽量球体２０を挿入した状態である。（Ｃ）は、一対の支持筋１１ａ、１１ｂを内側（矢印の方向）へ回動させて閉じた状態である。
【図５】従来例を示す概要構成図である
【符号の説明】
【００２４】
１０  浮遊防止具
１１ａ、１１ｂ  支持筋
１２、１３  把持筋
１２ａ、１３ａ  蝶番部
２０  軽量球体
３１ａ、３１ｂ  上端筋
３２ａ、３２ｂ  下端筋
３３  アンカー
４０  スラブ下型枠
４１  打設コンクリート上面
【図１】
0003111154.tif 000003
【図２】
0003111154.tif 000004
【図３】
0003111154.tif 000005
【図４】
0003111154.tif 000006
【図５】
0003111154.tif 000007